【手続補正書】
【提出日】平成17年7月15日(2005.7.15)
【手続補正１】
【補正対象書類名】特許請求の範囲
【補正対象項目名】全文
【補正方法】変更
【補正の内容】
【特許請求の範囲】
【請求項１】
刈り刃ハウジングの内部に刈り刃を機体上下向きの回動軸芯まわりで回動駆動自在に設けてあるモーアであって、
天板と縦壁部とを備えて前記刈り刃ハウジングを構成し、
前記刈り刃の起風翼と刈り刃ハウジングの天板との間隔を、前記刈り刃の起風翼と刈り刃ハウジングの縦壁部との間隔よりも小にしてあるモーア。
【請求項２】
刈り刃ハウジングの内部に刈り刃を機体上下向きの回動軸芯まわりで回動駆動自在に設けてあるモーアであって、
前記刈り刃の起風翼の刈り刃から機体上方向きに突出する高さを、起風翼の全幅にわたって同一にしてあるモーア。
【請求項３】
前記刈り刃の起風翼を、前記刈り刃の前記回動軸芯に沿う方向視で刈り刃のエッジに平行な姿勢に設定してある請求項２記載のモーア。
【手続補正２】
【補正対象書類名】明細書
【補正対象項目名】全文
【補正方法】変更
【補正の内容】
【発明の詳細な説明】
【発明の名称】モーア
【技術分野】
【０００１】
本発明は、刈り刃ハウジングの内部に刈り刃を機体上下向きの回動軸芯まわりで回動駆動自在に設けてあるモーアに関する。
【背景技術】
【０００２】
上記モーアにあっては、例えば特許文献１に示されるように、ブレード１２（刈り刃に相当）に起風翼１２Ｂを設け、ブレード１２と共に回動する起風翼１２によって刈り刃ハウジング１３の内部に搬送風を発生させ、刈り草や刈り芝を刈り刃ハウジング１３から搬出しやすいように構成される。
【０００３】
【特許文献１】特開２００１−４５８２６号公報（〔００３１〕，〔００３２〕欄、図４−７）
【発明の開示】
【発明が解決しようとする課題】
【０００４】
草や芝が濡れたり湿ったりしていると、刈り草や刈り芝が刈り刃ハウジングの内面に付着しやすくなるが、従来のモーアにあっては、清掃機能を特別に備えておらず、また、刈り刃の起風翼は、刈り刃ハウジングの天板から大きく離れていたり、刈り刃ハウジングの天板に向かう強い風を発生しにくいものになっており、殊に刈り刃ハウジングの天板に付着した刈り草や刈り芝が取れにくくなっていた。
【０００５】
本発明の目的は刈り刃ハウジングの天板に刈り草や刈り芝が付着しても除去しやすく、しかも、構造簡単に得られるモーアを提供することにある。
【課題を解決するための手段】
【０００６】
本第１発明にあっては、刈り刃ハウジングの内部に刈り刃を機体上下向きの回動軸芯まわりで回動駆動自在に設けてあるモーアにおいて、天板と縦壁部とを備えて刈り刃ハウジングを構成し、刈り刃の起風翼と刈り刃ハウジングの天板との間隔を、刈り刃の起風翼と刈り刃ハウジングの縦壁部との間隔よりも小にしてある。
【０００７】
すなわち、刈り刃の起風翼と刈り刃ハウジングの天板との間隔を、刈り刃の起風翼と刈り刃ハウジングの縦壁部との間隔よりも小にしてあるものだから、刈り刃の起風翼が刈り刃ハウジングの天板の近くを回動移動して、刈り刃の起風翼によって発生する風が刈り刃ハウジングの天板に強く当たりやすくなるようにしながら、かつ、刈り刃ハウジングの天板に付着した刈り草や刈り芝に対して、刈り刃の起風翼が除去作用しやすくなるようにしながら刈り刃の起風翼を駆動できる。
【０００８】
従って、本第１発明によれば、刈り草や刈り芝が刈り刃ハウジングの天板に付着しても刈り刃の起風翼による風や除去作用によって除去されやすくなり、雨天時など、草や芝が刈り刃ハウジングの天板に付着しやすい場合でも能率よく刈取り作業できる。しかも、刈り刃の起風翼を清掃手段に利用し、構造簡単に得て安価に得られる。
【０００９】
本第２発明にあっては、刈り刃ハウジングの内部に刈り刃を機体上下向きの回動軸芯まわりで回動駆動自在に設けてあるモーアにおいて、刈り刃の起風翼の刈り刃から機体上方向きに突出する高さを、起風翼の全幅にわたって同一にしてある。
【００１０】
すなわち、刈り刃の起風翼の刈り刃から機体上方向きに突出する高さを、刈り刃の起風翼の全幅にわたって同一にしてあるものだから、刈り刃の起風翼の上端が刈り刃ハウジングの天板に対して傾斜していた従来のモーアに比べ、刈り刃の起風翼によって発生する風が刈り刃ハウジングの天板に強く当たりやすくなる。また、刈り刃の起風翼によって発生する風が、刈り刃の起風翼の外側に抜け出にくくなる。
【００１１】
従って、本第２発明によれば、刈り草や刈り芝が刈り刃ハウジングの天板に付着しても刈り刃の起風翼からの風によって除去されやすくなる。また、搬送風を効率よく発生させて、濡れや湿りで重くなっている刈り草や刈り芝でも搬出しやすくなり、雨天時など、草や芝が刈り刃ハウジングの天板に付着しやすく重い場合でも能率よく刈取り作業できる。しかも、刈り刃の起風翼を清掃手段に利用し、構造簡単に得て安価に得られる。
【００１２】
本第３発明にあっては、本第２発明の構成において、刈り刃の起風翼を刈り刃の回動軸芯に沿う方向視で刈り刃のエッジに平行な姿勢に設定してある。
【００１３】
すなわち、刈り刃の起風翼を刈り刃の回動軸芯に沿う方向視で刈り刃のエッジに平行な姿勢に設定してあるものだから、刈り刃のエッジに対して傾斜していた従来の刈り刃の起風翼に比し、刈り刃の起風翼によって発生する風が刈り刃の起風翼の後方に抜け出にくくなって、この面からも刈り刃ハウジングの天板に強く当たりやすくなる。
【００１４】
従って、本第３発明によれば、刈り刃ハウジングの天板に付着した刈り草や刈り芝が刈り刃の起風翼からの風によってより除去されやすくなり、草や芝が刈り刃ハウジングの天板に付着しやすい場合でも能率よく刈取り作業できる。
【発明を実施するための最良の形態】
【００１５】
以下、本発明の実施例を図面に基づいて説明する。
図１に示すように、左右一対の操向操作及び駆動自在な前車輪１、左右一対の駆動自在な後車輪２、前後輪１，２を駆動するエンジン３が装備された原動部、この原動部の後方に位置する運転座席４などが装備された自走機体の前後輪間に、リンク機構５を介してモーア２０を連結するとともに、前記エンジン３の駆動力を伝動軸７によってモーア２０に伝達するように構成し、モーア２０の刈り刃ハウジング２１から自走機体の後方向きに左右後輪２，２の間を通って延出している搬送ダクト８を備えさせるとともに、自走機体の後部に集草容器９を設けて、乗用型草刈り機を構成してある。
【００１６】
この乗用型草刈り機は、草刈りや芝刈り作業を行なうものであり、後輪駆動ケースに作業クラッチ１０を設け、運転部に設けたクラッチレバー１１を揺動操作して作業クラッチ１０を入り切り操作することにより、この作業クラッチ１０がエンジン３からモーア２０に対する伝動を入り切りしてモーア２０を駆動及び停止操作する。前記リンク機構５を自走機体に対して上下に揺動操作することにより、モーア２０が刈り刃ハウジング２１の前後に位置するゲージ輪２２が接地した下降作業状態と、前記ゲージ輪２２が地面上から浮上した上昇非作業状態とに昇降するようになっており、モーア２０を下降作業状態にするとともに駆動状態にして自走機体を走行させていくと、モーア２０が草や芝を切断し、刈草や刈芝を搬送ダクト８によって集草容器９に供給して貯留していく。
【００１７】
図２，３に示すように、モーア２０の前記刈り刃ハウジング２１の内部に、自走機体の横方向に並ぶように配置するとともに機体上下方向の軸芯Ｘまわりで回動するように構成した複数枚のブレード形の刈り刃２３、この刈り刃２３の前方側に配置したフロントバキュームプレート２４、前記刈り刃２３の後方側に配置したリヤバキュームプレート２５を設け、刈り刃ハウジング２１の上面側に、前記伝動軸７からの駆動力を各刈り刃２３の回転支軸に伝動ベルトを利用して伝達する刈り刃駆動機構２６を設けて構成してある。
【００１８】
図３，４に示すように、前記各刈り刃２３において、刈り刃２３の草や芝を切断するエッジ２３ａが位置する両端部のエッジ２３ａより刈り刃回転方向での後方側に、刈り刃２３を構成している素材の一部を刈り刃２３から機体上方向きに立ち上がるように折り曲げ成形して成る起風翼２７を設けてある。各起風翼２７は、図３、４（イ），（ロ）に示す如き状態に設定してある。
すなわち、刈り刃２３の回動軸芯Ｘに沿う方向視でエッジ２３ａに対して平行な姿勢になるように設定してある。起風翼２７と刈り刃ハウジング２１の天板２１ａとの間隔Ｄ１が、起風翼２７と前記フロントバキュームプレート２４及び前記リヤバキュームプレート２５との間隔Ｄ２より小になるように設定してある。起風翼２７の刈り刃２３から機体上方向きに突出する高さＨが、起風翼２７のエッジ２３ａに沿う方向での全幅にわたって同一であるように設定してある。
【００１９】
図２，３，４に示すように、刈り刃ハウジング２１の前縦壁２１ｂの左右２箇所に、通気用の切欠き部２８を設け、刈り刃ハウジング２１の天板２１ａのフロントバキュームプレート２４より前方側に位置する部位に、機体横方向に並ぶ複数個の通気用の貫通孔２９を設けてある。
【００２０】
これにより、モーア２０は、エンジン３から作業クラッチ１０及び伝動軸７を介して刈り刃駆動機構２６に伝達される駆動力によって各刈り刃２３を回転支軸の機体上下向きの回動軸芯Ｘのまわりで回動するように駆動し、機体走行に伴って刈り刃ハウジング２１の前方から内部に入り込んできた草や芝を回動する各刈り刃２３のエッジ２３ａによって切断する。このとき、草や芝を刈り刃ハウジング２１の前記左右の切欠き部２８を通して内部に導入することにより、刈り刃ハウジング２１の前縦壁２１ａによる草や芝の押し倒しを発生しにくくしながら内部に導入する。
各刈り刃２３によって起風翼２７を回動駆動し、刈り刃ハウジング２１の外部の空気を刈り刃ハウジング２１と地面の間から刈り刃ハウジング２１の内部のバキュームプレート２４，２５内に吸引して、さらに、刈り刃ハウジング２１の外部の空気を刈り刃ハウジング２１の切欠き部２８からも貫通孔２９からも吸引して、刈り刃ハウジング２１の内部に搬送風を充分に発生させる。このとき、起風翼２７と天板２１ａとの小間隔のために、起風翼２７が天板２１ａの近くを回動移動して、天板２１ａに付着した刈り草や刈り芝に対して除去作用しやすいことにより、起風翼２７の刈り刃２３からの突出高さＨが起風翼全幅にわって同一であることと起風翼２７がエッジ２３ａに平行な姿勢であることによって天板２１ａに強く当たる搬送風を発生させることにより、天板２１ａに刈り草や刈り芝が付着してもこれを容易に除去しながら搬送風を発生させ、刈り草や刈り芝を搬送風によって刈り刃ハウジング２１の排出口３０から前記搬送ダクト８に搬出していく。
【図面の簡単な説明】
【００２１】
【図１】乗用型草刈り機全体の側面図
【図２】モーアの平面図
【図３】モーアの底面図
【図４】（イ）は、モーアの縦断側面図、（ロ）は、刈り刃の起風翼配設部での断面図
【符号の説明】
【００２２】
２１          刈り刃ハウジング
２１ａ        刈り刃ハウジングの天板
２３          刈り刃
２３ａ        刈り刃のエッジ
２４，２５    刈り刃ハウジングの縦壁部
２７          起風翼
Ｄ１          刈り刃の起風翼と刈刃ハウジングの天板との間隔
Ｄ２          刈り刃の起風翼と刈り刃ハウジングの縦壁部との間隔
Ｈ            刈り刃の起風翼の刈り刃から機体上方向きに突出する高さ
Ｘ            回動軸芯